(57)【要約】【課題】部品点数の削減及び組立作業の効率化を図ることができると共に、容器内に発生する気泡の状態を透明な蓋部材を介して見ることができる遊技機を提供する。【解決手段】前枠部材３１の窓部１１及び各カバー取付孔３３Ａ〜３３Ｄの背面部を四角形のガラス板１１Ａで覆うように構成する。【選択図】図１４
2008302253.tif 000002
【特許請求の範囲】
【請求項１】
外枠と、前記外枠に遊技者側の前面側にて開閉可能となるように取り付けられて、略中央部に遊技領域を視認可能とする窓部を有する前面カバー部材とを備えた遊技機において、
前記前面カバー部材の裏面部に配設される少なくとも前面カバー部材側が透光性であり、且つ内部が透光性液体で満たされる容器と、
前記容器内に気泡を発生させる気泡発生手段と、を備え、
前記前面カバー部材は、該前面カバー部材及び前記容器の背面部を覆うようにこの前面カバー部材に対して着脱可能に設けられる背面カバー部材と、
前記容器に対向する前面部分の該容器の長手方向に沿って穿設される覗き孔部と、
前記覗き孔部及び前記窓部を覆う透明な四角形状の蓋部材と、を有し、
前記背面カバー部材は、前記窓部に対向する位置に該窓部と同形状の開口部が開設され、
前記容器は、該背面カバー部材の前記開口部の外側周縁部に取り付けられていることを特徴とする遊技機。
【発明の詳細な説明】
【技術分野】
【０００１】
本発明は、遊技機の外枠に遊技者側の前面側にて開閉可能となるように取り付けられて、略中央部に遊技領域を視認可能とする窓部を有する前面カバー部材を備えた遊技機に関するものである。
【背景技術】
【０００２】
従来より、遊技機の外枠に遊技者側の前面側にて開閉可能となるように取り付けられて、略中央部に遊技領域を視認可能とする窓部を有する前面カバー部材を備えた遊技機が種々提案されている。
例えば、従来の遊技機では、ボックス形状の本体部の前面開口に扉部を開閉可能に取り付けて機体が構成される。本体部の中空内部には、上段位置にリールブロックや制御装置が実装された回路基板が、下段位置に多数枚のメダルを収容するホッパーを有するメダル払出機が、それぞれ組み込まれている。また、扉部の前面は、正面パネルと、正面パネルの上方に位置する上部パネルと、正面パネルの下方に位置する下部パネルとで構成されている。この正面パネルおよび上部パネルは、アクリル板のような透明な合成樹脂板や強化ガラス板などの表面にシルクスクリーン印刷が施されて成る。また、下部パネルは、全体が透明でありかつ内部に水などの液体を装填することが可能な直方形状の中空体で構成される。そして、中空体の底面には、水草の模型および水車の模型の各設置位置に対応させて、空気孔がそれぞれ形成してある。各空気孔は送気管の一端が接続され、送気管の他端はエアーポンプより成る気泡発生装置に接続されている。この気泡発生装置を駆動すると、送気管を介して空気孔へ空気が送られ、中空体の内部の液体中に気泡が発生するように構成されている（例えば、特許文献１参照。）。
【特許文献１】特開２００１−４６５８３号公報（段落（００２３）、（００２７）〜（００２８）、（００３６）〜（００４１）、図１、図４〜図８）
【発明の開示】
【発明が解決しようとする課題】
【０００３】
しかしながら、上述した遊技機においては、扉部のパネルを構成する中空体へ液体補給をする際に、液体が漏れたり溢れるおそれがあり、漏れた液体などが遊技機本体内に流れ、電気部品が故障するおそれがあるという問題がある。また、液体が装填される中空体は、扉部のパネルの一部又は全部を構成するため、扉部を遊技者側に開いた際に、この中空体に直接触れる可能性があり、中空体が損傷する虞があるという問題がある。また、遊技中の振動などにより中空体内の液体が漏れた場合には、本体部内へ直接流れるため、電気部品が故障する虞があるという問題がある。
【０００４】
そこで、本発明は、上述した問題点を解決するためになされたものであり、前面カバー部材の裏面部に容器を配設することにより、前面カバー部材を遊技者側に開いた状態で、この容器に液体を補給することができるため、液体補給の際の漏れや溢れ等による遊技機内への透光性液体の流れ込みを確実に防止し、遊技機の内部に配置される電気制御回路部品の漏電等による故障や金属部品の錆び付き等を確実に防止することができる遊技機を提供することを目的とする。また、前面カバー部材の裏面部に配設される容器は、該前面カバー部材に対して着脱可能に設けられる背面カバー部材で背面部が覆われているため、前面カバー部材を遊技者側に開いた際における、この容器等の破損や本体内部への液体漏れを防止することができると共に、前面カバー部材を遊技者側に開いて背面カバー部材を取り外すことによって、この容器への液体補給や掃除・修理作業などを容易に行うことができる遊技機を提供することを目的とする。
【課題を解決するための手段】
【０００５】
前記目的を達成するため請求項１に係る遊技機は、外枠と、前記外枠に遊技者側の前面側にて開閉可能となるように取り付けられて、略中央部に遊技領域を視認可能とする窓部を有する前面カバー部材とを備えた遊技機において、前記前面カバー部材の裏面部に配設される少なくとも前面カバー部材側が透光性であり、且つ内部が透光性液体で満たされる容器と、前記容器内に気泡を発生させる気泡発生手段と、を備え、前記前面カバー部材は、該前面カバー部材及び前記容器の背面部を覆うようにこの前面カバー部材に対して着脱可能に設けられる背面カバー部材と、前記容器に対向する前面部分の該容器の長手方向に沿って穿設される覗き孔部と、前記覗き孔部及び前記窓部を覆う透明な四角形状の蓋部材と、を有し、前記背面カバー部材は、前記窓部に対向する位置に該窓部と同形状の開口部が開設され、前記容器は、該背面カバー部材の前記開口部の外側周縁部に取り付けられていることを特徴とする。
【０００６】
すなわち、本発明の遊技機では、前面カバー部材の裏面部に配設される容器は、該前面カバー部材に対して着脱可能に設けられる背面カバー部材で背面部が覆われているため、前面カバー部材を遊技者側に開いた際における、この容器等の破損や本体内部への液体漏れを防止することができると共に、前面カバー部材を遊技者側に開いて背面カバー部材を取り外すことによって、この容器への液体補給や掃除・修理作業などを容易に行うことができる。
また、前面カバー部材の背面部は、背面カバー部材で覆われているため、遊技中に振動などによって透光性液体で満たされる容器から液漏れがあっても、背面カバー部材の下端部から前面カバー部材の下端部に流れて、遊技機の後側に配置される電気制御回路部品の故障を防ぐことができると共に、前面カバー部材を開くことによって迅速に修理を行うことができる。
更に、透光性液体で満たされる容器は、背面カバー部材の窓部に対向する位置に該窓部と同形状に開設された開口部の外側周縁部に取り付けられるため、前面カバー部材の窓部と、この窓部の外側周縁部に穿設される覗き孔部とを覆う透明な四角形状の蓋部材を介して容器内に発生する気泡が見えると共に、遊技領域の視認を妨げることなく気泡の演出をより効果的に行うことができる。また、覗き孔部及び窓部を透明な四角形状の蓋部材で覆うことによって、覗き孔部と窓部とを一枚の蓋部材で覆うことができ、部品点数の削減及び組立作業の効率化を図ることができると共に、容器内に発生する気泡の状態を透明な蓋部材を介して見ることができる。
また、前面カバー部材には、遊技の演出効果を上げるための装飾ランプ部材などの電気部品は設けられているが、遊技球の入賞を検知する検出スイッチや、入賞口を開放するソレノイド等の遊技を行うために必要な電気部品は設けられていないため、万一、容器から液体漏れが発生しても、遊技に直接支障を来す電気部品の故障を回避することができ、遊技者に不測の不利益を与えることを確実に防止することができる。
【発明を実施するための最良の形態】
【０００７】
以下、本発明に係る遊技機をパチンコ機について具体化した一実施形態を図面を参照して詳細に説明する。
先ず、本実施形態に係るパチンコ機の全体構成について図１乃至図３に基づき説明する。
図１乃至図３に示すように、本実施形態に係るパチンコ機１は、所定量のパチンコ球を賞球として払い出す、いわゆる第１種パチンコ機で、一般にＣＲ機（カードリーディング機）と称され、カード式球貸機とパチンコ機１とによって構成され、これらは対をなして設置されるが、図１乃至図３においては、カード式球貸機の図示を省略している。パチンコ機１は、木製の外枠２に対して木製の前枠３が、前枠取付用ヒンジを構成する上ヒンジ４及び下ヒンジ５を介して外枠２に対して開閉自在に取り付けられている。そして、この前枠３のほぼ上半分の前側には、樹脂製の前面カバー部材１０が左端縁部の上下を軸支されて開閉自在に取付けられている（図３参照）。また、この前面カバー部材１０のほぼ中央部には略円形の窓部１１が開設され、この窓部１１の外周縁部に形成されるガラス保持枠に装着された２枚のガラスを通して遊技領域を見ることができるように構成されている。また、前面カバー部材１０の窓部１１の上端縁部には、フルカラーの発光ダイオードが内蔵され、「当たり」等の発生を報知したり遊技中に光演出をする電飾ランプ１２が取付けられている。また、電飾ランプ１２の左右外側には、遊技中のエラーを表示する各エラー表示ランプ１３が取付けられている。
【０００８】
また、前面カバー部材１０の裏側には、この前面カバー部材１０の裏側を覆う正面視略四角形の背面カバー部材１４（図５、図６参照）がネジ止めにより取り付けられている。また、後述のようにこの背面カバー部材１４の前面側の窓部１１の周縁部の左右上方に対向する位置には、透光性液体（例えば、蒸留水等）が満たされた正面視略逆三角形状で透光性材料（例えば、ポリエチレンテレフタレート（ＰＥＴ）、ポリプロピレン（ＰＰ）等）で形成される各容器１５が配設されている（図８参照）。そして、電飾ランプ１２の左右の窓部１１周辺に設けられた透明な蓋部材としての樹脂製の各カバー部材１６Ａ〜１６Ｄを介して各容器１５を見ることができるように構成されている。
また、前面カバー部材１０の右側中央部には、前枠３及び前面カバー部材１０を施錠する施錠装置（不図示）を操作するための鍵挿入部１７が設けられている。前面カバー部材１０を開くためには、この鍵挿入部１７に所定のキーを挿入して所定方向に回せば、施錠装置のロック状態が解除されて、前面カバー部材１０のみがオープンされる（図３参照）。
【０００９】
また、この前面カバー部材１０の下側には、公知の賞球払出装置（特開平１１−３０９２６５号公報等参照）を介して払い出される賞球を受ける上皿６がスピーカ６Ａを内蔵して樹脂製プレート７に配設されている。また、このプレート７は、左端縁部の上下を軸支されて、前面カバー部材１０を開放後、内側に設けられた不図示のレバーを下げることにより開放できるように取付けられている。また、この上皿６の中央前面部には、カード式球貸機の操作ボタン６Ｂ、６Ｃ及びカード残高表示装置６Ｄが設けられている。そして、その上皿６の下には、下皿８が配設される。また、上皿６に連通する不図示の球送り機構を介して上皿６のパチンコ球が操作ハンドル９に連結された不図示の発射装置へ送られるよう構成されている。
【００１０】
また、パチンコ機１の裏側最上段には、上方に開口した賞球タンク２１が不図示の機構セット盤に固定されている。賞球タンク２１は、傾斜した底面に連通孔２１Ａが形成され、その連通孔の下方にはパチンコ球を２列に整列流出し、賞球ケース２２にパチンコ球を送る通路を形成するタンクレール２３が取付けられている。
また、タンクレール２３の下側にはＬＣＤ表示装置等をカバーする樹脂製のセンターカバー２４が取付けられている。そして、このセンターカバー２４の下側には、パチンコ機１の遊技動作を制御する主基板が内蔵される基板ケース２５が配設されている。また、基板ケース２５の下方には、上皿６から溢れた賞球を受けて下皿８に案内する下部受皿ボックス２６がボルトにより前枠３の裏側に取り付けられている。
【００１１】
次に、前面カバー部材１０を構成する前枠部材について図４に基づいて説明する。
図４に示すように、前面カバー部材１０の前面部分を構成する不透明な樹脂製の前枠部材３１は、中央部に略円形の窓部１１が開設され、その窓部１１の上端縁部の近傍位置には、前記電飾ランプ１２が背面側から嵌入されて取り付けられる略横長四角形のランプ取付孔３２が穿設されている。また、窓部１１の外周部のランプ取付孔３２の左右には、前記透明な各カバー部材１６Ａ〜１６Ｄが背面側から取り付けられる各カバー取付孔３３Ａ〜３３Ｄ（覗き孔部として機能する）が穿設されている。
また、各カバー取付孔３３Ａ〜３３Ｄの斜め上側には、前記各エラー表示ランプ１３が前面側から嵌入されて取り付けられる正面視略Ｓ字形の各エラーランプ取付孔３５が穿設されている。また、各エラーランプ取付孔３５の外周部の上下端部には、各エラー表示ランプ１３を裏側からネジ止めするための各貫通孔３５Ａが穿設されている。
【００１２】
また、窓部１１の上下中央部の左右の外周縁部には、電飾ランプが内蔵される角状の各膨出部３６が形成されている。また、各膨出部３６の下側には、後述のように電飾ランプが設けられた基板３８（図７参照）が裏面部に装着される各電飾部３７が前面側に膨出して形成されている。また、この電飾部３７の上下端部の背面部には、各基板３８をネジ止めするための各取付ボス３７Ａが背面方向に立設されている。
また、窓部１１の左右端縁部とこの前枠部材３１の左右他縁部との略中央部の背面部には、背面カバー部材１４をネジ止めするための各取付ボス４０が上下方向にそれぞれ５個ずつほぼ等間隔で立設されている。また、下端部の左右両端の各取付ボス４０の間には背面カバー部材１４をネジ止めするための３個の各取付ボス４０が左右方向にほぼ等間隔で立設されている。
また、前枠部材３１の上下端面の左端部には、前枠３に設けられた不図示の回転軸が挿入される各貫通孔３９（図７参照）が穿設されている。
【００１３】
次に、背面カバー部材１４の構成について図５及び図６に基づいて説明する。
図５及び図６に示すように、背面カバー部材１４は、前枠部材３１の外周縁部の内側に嵌入されるように正面視略四角形で前面側が開放される略箱形に形成されている（図８参照）。また、背面カバー部材１４の上記前枠部材３１の窓部１１に対向する背面部には、この窓部１１とほぼ同形状の開口部４５が開設されると共に、この開口部４５の周縁部には、背面カバー部材１４の前端部に達する高さの開口リブ４６が立設されている。また、この開口リブ４６の左右斜め上側には、前記各容器１５の外周縁部とほぼ同じ形状の各容器収納部４７を形成するように、背面カバー部材１４の開口リブ４６よりも少し低い高さの各容器取付用リブ４７Ａ〜４７Ｈが背面部の前面側に立設されている。また、各容器収納部４７の上下端面部を形成する各容器取付用リブ４７Ｂ、４７Ｄ、４７Ｆ、４７Ｈの外側端部の内側面には、後述の長四角形の光拡散板６１と長手方向にＬＥＤが配設されるＬＥＤ基板６２とを装着するためにの各基板取付部４９が内側方向に所定高さ突き出して形成されている。
また、各容器収納部４７の上端面部を形成する各容器取付用リブ４７Ｂ、４７Ｆと、左右内側端面部を形成する各容器取付用リブ４７Ｃ、４７Ｇとのそれぞれの外側端面部近傍位置には、断面視逆Ｌ字形の各押えレバー４８Ａ〜４８Ｄが回動可能に取り付けられている。この各押さえレバー４８Ａ〜４８Ｄの背面部前面側からの高さ寸法は、各容器１５の厚さ寸法にほぼ等しく形成され、各容器収納部４７側に回動した場合には、各容器１５の前面部を押さえるように構成されている。また、開口リブ４６の上端部の上側には、後述のソレノイドユニット６３（図７参照）を取付けるための４個の各ソレノイド取付ボス６４が背面部前面側に立設されている。
【００１４】
また、開口リブ４６の左下側には、各容器１５内にエアーを送るエアーポンプ５５（図８参照）の外周縁部とほぼ同じ形状のエアーポンプ収納部を形成するように、背面カバー部材１４の開口リブ４６よりも少し低い高さの各エアーポンプ取付用リブ５５Ａ〜５５Ｄが背面部の前面側に立設されている。また、各エアーポンプ取付用リブ５５Ａ、５５Ｄの内側には、エアーポンプ５５をネジ止めするための各取付ボス５６が背面部の前面側に立設されている。
また、背面カバー部材１４の左上角部に設けられる段差部には、前面カバー部材１０を回転可能に軸支する軸が挿入される円筒状の支持ボス５７が形成されている。また、背面カバー部材１４の背面部には、前枠部材３１の各取付ボス４０に対向する位置にネジが挿入される各貫通孔５０が穿設されている。そして、適宜複数のリブが立設されている。
【００１５】
次に、前面カバー部材１０の組み立てについて図７乃至図１０に基づいて説明する。
先ず、背面カバー部材ユニット６６の組み立てについて説明する。
図７及び図８に示すように、ソレノイド軸７１にゴム製又は樹脂製のソレノイドキャップ７２を嵌挿しつつソレノイド本体７０に挿入する。そして、このソレノイド軸７１の先端部にソレノイドゴム７３を接着する。その後、このソレノイド本体７０をソレノイド台７４にネジ止めにより取付け、このソレノイド台７４を背面カバー部材１４の各ソレノイド取付ボス６４にネジ止めする。そして、エアーポンプ５５を開口リブ４６の左斜め下側に立設される各取付ボス５６にネジ止めして取り付ける。
【００１６】
続いて、各容器１５の上端面に形成される各エアーチューブ挿入口７７又は各排気口７８からこの容器１５に蒸留水などの透光性液体１５Ａを充填後、背面カバー部材１４の各容器収納部４７に嵌め込み、各押えレバー４８Ａ〜４８Ｄを回動して各容器１５を固定する。そして、各容器１５の左右方向外側端面部に光拡散板６１を当接させつつ、この光拡散板６１の上下端縁部を各基板取付部４９に挿入する。また、この光拡散板６１の左右方向外側に対向するようにＬＥＤ基板６２の上下端縁部を各基板取付部４９に挿入する。
【００１７】
そして、エアーポンプ５５のエアー供給口にエアーチューブ７６の一端側を接続する。また、このエアーチューブ７６の他端側は、二股に分かれており、それぞれの端部は、各容器１５の上端面に形成されるエアーチューブ挿入口７７からこの容器１５のほぼ底面近傍まで挿入されている。
また、図９及び図１０に示すように、各容器１５内に挿入されるエアーチューブ７６の他端側は、このエアーチューブ７６にキャップ８３とＯリング８２を差し込み、このキャップ８３をエアーチューブ挿入口７７の先端部に螺着することにより、Ｏリング８２がエアーチューブ挿入口７７の先端部とキャップ８３の内側で挟み込まれ、エアーチューブ挿入口７７の先端部が密封されると共に、エアーチューブ７６の他端側がエアーチューブ挿入口７７に固定される。一方、このキャップ８３をエアーチューブ挿入口７７から取り外すことにより、各容器１５からエアーチューブ７６を抜き取ることが可能となる。
【００１８】
また、図７及び図８に示すように、各容器１５の上端面に形成される排気口７８には、それぞれ排気チューブ７９の一端が接続されている。そして、この各排気チューブ７９の他端側は、ソレノイド台７４の上側にて、二股ストロー８０の二股部の各一端部に接続されている。一方、この二股ストロー８０の他端部は、ソレノイド台７４の上端部に挿入され、ソレノイドゴム７３の上端面に当接されて、閉塞されている。
また、図９及び図１０に示すように、各容器１５の上端面に形成される各排気口７８に挿入される各排気チューブ７９の一端側は、この排気チューブ７９にキャップ８６とＯリング８５を差し込み、このキャップ８６を排気口７８の先端部に螺着することにより、Ｏリング８５が排気口７８とキャップ８６の内側で挟み込まれ、排気口７８の先端部が密封されると共に、排気チューブ７９の一端側が排気口７８に固定される。一方、このキャップ８６を排気口７８から取り外すことにより、各容器１５から排気チューブ７９を外すことが可能となると共に、この排気口７８を介して、各容器１５内に透光性液体１５Ａの補給をすることが可能となる。
【００１９】
他方、図７に示すように、前枠部材３１の各ランプ取付孔３５に、各エラー表示ランプ１３を前面側から嵌め込み、各貫通孔３５Ａを介してネジ止めする。また、ランプ取付孔３２に背面側から電飾ランプ１２を嵌め込んで装着する。そして、各カバー取付孔３３Ａ〜３３Ｄに背面側から透明な各カバー部材１６Ａ〜１６Ｄを嵌め込んで装着する。更に、窓部１１の左右斜め下側に設けられる各電飾部３７の背面部に、ＬＥＤランプが前面側に配設された各基板３８を各取付ボス３７Ａを介してネジ止めにより取り付ける。
その後、この前枠部材３１の各取付ボス４０に背面カバー部材ユニット６６の各貫通孔５０が対向するように配置して各貫通孔５０に螺子を挿入して背面側からネジ止めし、前面カバー部材１０を構成する。
【００２０】
ここで、エアーポンプ５５、エアーチューブ７６、各排気チューブ７９、二股ストロー８０、及びソレノイドユニット６３は、気泡発生手段を構成する。また、各排気口７８、各Ｏリング８２、８５、及び各キャップ８３、８６は、液体注入部を構成する。また、各光拡散板６１、各ＬＥＤ基板６２は、照明手段を構成する。
【００２１】
次に、上記のように構成された前面カバー部材１０の各容器１５内に気泡を発生させる駆動制御について図１１に基づいて説明する。尚、図１１には左側の容器１５内に気泡が発生する状態を示しているが、右側に配置される容器１５内にも同様に気泡が発生する。
図１１に示すように、パチンコ機１が起動された場合は、エアーポンプ５５に通電されると共に、ソレノイド本体７０へ通電される。これにより、エアーポンプ５５から供給されるエアーは、エアーチューブ７６を介して各容器１５の底部近傍に排気され、各容器１５の透光性液体１５Ａ内に下から上昇する気泡が発生する。また、ソレノイド本体７０に通電された場合は、ソレノイド軸７１がソレノイドキャップ７２の弾性力に抗して吸引され、二股ストロー８０の他端部は大気に開放される。このため、エアーチューブ７６の他端側から透光性液体１５Ａ内に供給されるエアーは、各容器１５の排気口７８に一端側が接続される排気チューブ７９及び二股ストロー８０を介して大気中に排気される。また、パチンコ機１が起動された場合は、各ＬＥＤ基板６２が起動され、このＬＥＤ基板６２上に配置されるフルカラーの各ＬＥＤ６２Ａが点灯駆動され、各光拡散板６１を介して透光性液体１５Ａ内の気泡が照らされて、遊技者は透明な各カバー部材１６Ａ〜１６Ｄを介してこの気泡が上昇する状態を見ることができる。
一方、パチンコ機１の電源がＯＦＦの場合は、エアーポンプ５５、ソレノイド本体７０、及び各ＬＥＤ基板６２は通電されず、駆動されない。これにより、ソレノイド本体７０は通電されないため、二股ストロー８０の他端側は、ソレノイドゴム７３によって閉塞され、各容器１５内の透光性液体１５Ａの蒸発を防止できる。
【００２２】
従って、本実施形態によれば、前面カバー部材１０の裏面部に配設される各容器１５は、該前面カバー部材１０に対して着脱可能に設けられる背面カバー部材１４で背面部が覆われているため、前面カバー部材１０を遊技者側に開いた際における、この各容器１５等の破損や振動などによる本体内部への液体漏れを防止することができると共に、前面カバー部材１０を遊技者側に開いて背面カバー部材１４を取り外すことによって、この各容器１５への液体補給や掃除・修理作業などを容易に行うことができる。また、前面カバー部材１０を遊技者側に開いて、各容器１５への液体補給が可能になるため、各容器１５への液体補給時における、透光性液体１５Ａの漏れや溢れがあっても、透光性液体１５Ａは遊技者側の床などに落下して、液体補給時に漏れたり溢れた透光性液体１５Ａの本体内部へ流れ込むのを確実に防止することができるため、パチンコ機１内に配置される主基板などの電気制御回路部品の漏電等による故障や金属部品の錆び付き等を確実に防止することができる。また、前面カバー部材１０には、パチンコゲームの演出効果を上げるための各エラーランプ１３、各基板３８、各ＬＥＤ基板６２、エアーポンプ５５、及びソレノイドユニット６３等の電気部品は設けられているが、パチンコ球の入賞を検知する検出スイッチや、各入賞口を開放するソレノイド等のパチンコゲームを行うために必要な電気部品は設けられていないため、万一、各容器１５から透光性液体１５Ａの漏れが発生しても、パチンコゲームに直接支障を来す電気部品の故障を回避することができ、遊技者に不測の不利益を与えることを確実に防止することができる。
また、前面カバー部材１０の背面部は、背面カバー部材１４で覆われているため、遊技中に振動などによって透光性液体１５Ａで満たされる容器から液漏れがあっても、背面カバー部材１４の下端部から前面カバー部材１０の下端部に流れて、パチンコ機１の後側に配置される主基板などの電気制御回路部品の故障を防ぐことができると共に、前面カバー部材１０を開くことによって迅速に修理を行うことができる。更に、前面カバー部材１０の窓部１１周辺に穿設される各カバー取付孔３３Ａ〜３３Ｄを覆う透明な各カバー部材１６Ａ〜１６Ｄを介して各容器１５内に発生する気泡が見えるため、遊技領域の視認を妨げることなく気泡の演出を効果的に行うことができる。
【００２３】
また、各容器１５は、背面カバー部材１４の背面部の内側面に取り付けられているため、背面カバー部材１４を前面カバー部材１０から取り外すことによって各容器１５なども取り外すことができ、この各容器１５への液体補給や掃除・修理作業などを更に容易に行うことができる。
また、エアーポンプ５５、エアーチューブ７６、排気チューブ７９、二股ストロー８０、ソレノイド本体７０、各光拡散板６１、各ＬＥＤ基板６２等は、背面カバー部材１４の内側面に取り付けられているため、背面カバー部材１４に各容器１５やエアーポンプ５５等を予め取り付けてユニット化することができ、組立工数の削減化を図ることができる。
更に、各容器１５内に各光拡散板６１及び各ＬＥＤ基板６２を介して光を照射することにより、各カバー部材１６Ａ〜１６Ｄを介して見える気泡の演出を更に効果的に行うことができる。
【００２４】
尚、本発明は、前記実施形態に限定されるものではなく、本発明の要旨を逸脱しない範囲内で種々の改良、変形が可能であることは勿論である。例えば、以下のようにしてもよい。
【００２５】
（Ａ）前記実施形態では、各排気口７８に螺着される各キャップ８３、８６を取り外すことにより、各容器１５への液体補給を行ったが、図１２及び図１３に示すように、各容器１５の上面部に液体補給口９０を設け、この液体補給口９０を介して各容器１５内に透光性液体１５Ａを補給後、各キャップ９１を螺着する構成にしてもよい。これにより、各キャップ９１を取り外すことにより、各容器１５内に液体補給をすることができると共に、各排気チューブ７９を固定したままで液体補給が可能なため、各容器１５への迅速な液体補給が可能となり、パチンコホールに配置される多数のパチンコ機の保守管理作業の効率化を図ることができる。
【００２６】
（Ｂ）前記実施形態では、前面カバー部材１０の前面部を構成する前枠部材３１の各カバー取付孔３３Ａ〜３３Ｄには、それぞれ背面側から透明な合成樹脂製の各カバー部材１６Ａ〜１６Ｄを取り付けたが、図１４及び図１５に示すように、前枠部材３１の窓部１１及び各カバー取付孔３３Ａ〜３３Ｄの背面部を四角形のガラス板１１Ａで覆うように構成してもよい。これにより、各カバー部材１６Ａ〜１６Ｄを取り付ける作業を無くすことができ、組立作業の効率化を図ることができると共に、各容器１５内に発生する気泡の状態をガラス板１１Ａを介して見ることができる。
ここで、図１２〜図１５の説明において前実施形態に係るパチンコ機１の構成と同一符号は、該前実施形態に係るパチンコ機１の構成と同一あるいは相当部分を示すものである。
【図面の簡単な説明】
【００２７】
【図１】本実施形態に係るパチンコ機全体を示した正面図である。
【図２】本実施形態に係るパチンコ機全体を示した側面図である。
【図３】本実施形態に係るパチンコ機の前面カバー部材を開いた状態を示す平面図である。
【図４】本実施形態に係るパチンコ機の前面カバー部材を構成する前枠部材を示す正面図である。
【図５】本実施形態に係るパチンコ機の前面カバー部材を構成する背面カバー部材を示す正面図である。
【図６】本実施形態に係るパチンコ機の前面カバー部材を構成する背面カバー部材を示す背面図である。
【図７】本実施形態に係るパチンコ機の前面カバー部材の組立手順を示す斜視図である。
【図８】本実施形態に係るパチンコ機の背面カバー部材ユニットを示す正面図で、（Ａ）は平面図、（Ｂ）は正面図である。
【図９】本実施形態に係るパチンコ機の背面カバー部材ユニットの左側の容器の上部を示す正面図である。
【図１０】本実施形態に係るパチンコ機の背面カバー部材ユニットの右側の容器の上部を示す正面図である。
【図１１】本実施形態に係るパチンコ機の前面カバー部材の各容器内に気泡を発生させる駆動制御を模式的に示す図である。
【図１２】他の実施形態に係るパチンコ機の背面カバー部材ユニットの左側の容器の上部を示す正面図である。
【図１３】他の実施形態に係るパチンコ機の背面カバー部材ユニットの右側の容器の上部を示す正面図である。
【図１４】他の実施形態に係るパチンコ機の前面カバー部材の正面図である。
【図１５】図１４のＡ−Ａ矢視側断面図である。
【符号の説明】
【００２８】
１                              パチンコ機
２                              外枠
３                              前枠
１０                            前面カバー部材
１１                            窓部
１１Ａ                          ガラス板
１４                            背面カバー部材
１５                            容器
１５Ａ                          透光性液体
１６Ａ〜１６Ｄ                  カバー部材
３１                            前枠部材
３３Ａ〜３３Ｄ                  カバー取付孔
５５                            エアーポンプ
６１                            光拡散板
６２                            ＬＥＤ基板
７０                            ソレノイド本体
７３                            ソレノイドゴム
７６                            エアーチューブ
７７                            エアーチューブ挿入口
７８                            排気口
７９                            排気チューブ
８０                            二股ストロー
８３、８５、９１                キャップ
９０                            液体補給口
【図１】
2008302253.tif 000003
【図２】
2008302253.tif 000004
【図３】
2008302253.tif 000005
【図４】
2008302253.tif 000006
【図５】
2008302253.tif 000007
【図６】
2008302253.tif 000008
【図７】
2008302253.tif 000009
【図８】
2008302253.tif 000010
【図９】
2008302253.tif 000011
【図１０】
2008302253.tif 000012
【図１１】
2008302253.tif 000013
【図１２】
2008302253.tif 000014
【図１３】
2008302253.tif 000015
【図１４】
2008302253.tif 000016
【図１５】
2008302253.tif 000017